(57)【要約】【課題】本発明は、画像映写枠部の閉じ込み時における光遮蔽板の折り畳みを円滑かつ簡便に行うことが可能なカメラ用防水ハウジングを提供する。【解決手段】本発明は、内部に画像表示部付きのビデオカメラを収納する防水型のハウジング本体４に透明部６を有する枠体５を備え、透明部５を透過する画像表示部の画像を映す鏡９を備えた画像映写枠部８と、この画像映写枠部８における鏡９の上側及び下側に一辺側が折り畳み可能な上光遮蔽板２１、下光遮蔽板３１とを有し、上光遮蔽板２１を下光遮蔽板３１より広面積にし、枠体５に対する上側、下側の係合部２２、３２の位置及び枠体５における上側、下側の係合受部１６、１８の位置を上下でずらした構成としたものである。【選択図】図５
2008292716.tif 000002
【特許請求の範囲】
【請求項１】
内部に画像表示部付きのカメラを収納する防水型のハウジング本体と、
ハウジング本体に一体に装着されるとともに前記画像表示部に対応する配置の透明部を有する枠体と、
この枠体により回動可能に軸支され、前記透明部を透過する前記画像表示部の画像を映す鏡を備えた画像映写枠部と、
画像映写枠部における前記鏡の上側及び下側に一辺側が折り畳み可能に取り付けられるとともに、前記枠体の透明部の上側及び下側に他辺側が係止されて外光の入射を遮光する上光遮蔽板及び下光遮蔽板と、
を有し、
前記上光遮蔽板と下光遮蔽板とを上下非対称に形成するとともに、上光遮蔽板、下光遮蔽板の他辺側の前記枠体に対する係止位置をずらしたことを特徴とするカメラ用防水ハウジング。
【請求項２】
内部に画像表示部付きのカメラを収納する防水型のハウジング本体と、
ハウジング本体に一体に装着されるとともに前記画像表示部に対応する配置の透明部を有する枠体と、
この枠体により回動可能に軸支され、前記透明部を透過する前記画像表示部の画像を映す鏡を備えた画像映写枠部と、
画像映写枠部における前記鏡の上側及び下側に一辺側が折り畳み可能に取り付けられるとともに、前記枠体の透明部の上側及び下側に設けた係合受部に他辺側に設けた係合部が係止されて外光の入射を遮光する略三角形状の上光遮蔽板及び下光遮蔽板と、
を有し、
前記上光遮蔽板を下光遮蔽板より広面積にするとともに、上光遮蔽板、下光遮蔽板の他辺側の係合部の位置及び前記枠体における上側、下側の係合受部の位置を上下でずらしたことを特徴とするカメラ用防水ハウジング。
【請求項３】
内部に画像表示部付きのカメラを収納する防水型のハウジング本体と、
ハウジング本体に一体に装着されるとともに前記画像表示部に対応する配置の透明部を有する枠体と、
この枠体により回動可能に軸支され、前記透明部を透過する前記画像表示部の画像を映す鏡を備えた画像映写枠部と、
画像映写枠部における前記鏡の上側及び下側に一辺側が折り畳み可能に取り付けられるとともに、前記枠体の透明部の上側及び下側に設けた係合受部に他辺側に設けた係合部が係止されて外光の入射を遮光する略三角形状の上光遮蔽板及び下光遮蔽板と、
を有し、
前記上光遮蔽板を下光遮蔽板より広面積にするとともに、上光遮蔽板、下光遮蔽板の他辺側の係合部の位置及び前記枠体における上側、下側の係合受部の位置を、前記画像映写枠部の軸支位置からの距離が上側で遠く、下側で近くなるように上下でずらしたことを特徴とするカメラ用防水ハウジング。
【発明の詳細な説明】
【技術分野】
【０００１】
本発明は、カメラ用防水ハウジングに関し、詳しくは、カメラの被写体や撮影画像等を映す鏡を備えた画像映写枠部の操作が簡略化し、水中撮影用等として好適なカメラ用防水ハウジングに関するものである。
【背景技術】
【０００２】
例えば、撮影画像を表示する画像表示部を備えたビデオカメラを水中植物や魚類の撮影等に対応させるために、マリンパック等と称される防水型のビデオカメラ用ハウジングが従来から種々提案されている。
【０００３】
この場合、陸上に比べて動きが不自由な水中においては、ハウジング各部の操作を簡便かつ円滑に実行可能であることが特に要請される。
【０００４】
特許文献１には、ビデオカメラを収納するカメラ収納部の側面に透明部を設けるとともに、透明部に対応する配置で画像表示部の画像映写用のミラー部を角度調整可能に取付け、さらに、光遮蔽用の上下対称の突出部をミラー部の上下に折り畳み可能に配置した防水型のカメラ保護ハウジングが提案されている。
【０００５】
このカメラ保護ハウジングの場合、ミラー部の上下に上下対称の突出部を折り畳み可能に配置した構成であるため、上下対称の突出部を折り畳む際にこれらの突出端側が衝突して円滑かつ速やかに折り畳むことができなくなるという事態が想定される。
【特許文献１】特開２０００−２０９４７３号公報
【発明の開示】
【発明が解決しようとする課題】
【０００６】
本発明が解決しようとする問題点は、ビデオカメラ等の画像表示部の画像を映す鏡を備えた開閉可能な画像映写枠部を有する防水ハウジングにおいて、画像映写枠部の閉じ込み時における光遮蔽板の折り畳みを円滑かつ簡便に行うことが可能な防水ハウジングが存在しない点である。
【課題を解決するための手段】
【０００７】
本発明のカメラ用防水ハウジングは、内部に画像表示部付きのカメラを収納する防水型のハウジング本体と、ハウジング本体に一体に装着されるとともに前記画像表示部に対応する配置の透明部を有する枠体と、この枠体により回動可能に軸支され、前記透明部を透過する前記画像表示部の画像を映す鏡を備えた画像映写枠部と、画像映写枠部における前記鏡の上側及び下側に一辺側が折り畳み可能に取り付けられるとともに、前記枠体の透明部の上側及び下側に他辺側が係止されて外光の入射を遮光する上光遮蔽板及び下光遮蔽板と、を有し、前記上光遮蔽板と下光遮蔽板とを上下非対称に形成するとともに、上光遮蔽板、下光遮蔽板の他辺側の前記枠体に対する係止位置をずらしたことを最も主要な特徴とする。
【発明の効果】
【０００８】
請求項１記載の発明によれば、鏡を備えた画像映写枠部に入射する光を遮る上光遮蔽板と下光遮蔽板とを上下非対称に形成するとともに、上光遮蔽板、下光遮蔽板の他辺側の枠体に対する係止位置をずらしたことによって、上光遮蔽板、下光遮蔽板の折り畳み時の相互衝突が回避され、光遮蔽板の折り畳みを円滑かつ簡便に行うことが可能であり、画像映写枠部の閉じ込み時の操作性が良好なカメラ用防水ハウジングを提供することができる。
【０００９】
請求項２記載の発明によれば、鏡を備えた画像映写枠部に入射する光を遮る上光遮蔽板と下光遮蔽板とを略三角形状とするとともに、前記上光遮蔽板を下光遮蔽板より広面積とし、上光遮蔽板、下光遮蔽板の他辺側の係合部の位置及び前記枠体における上側、下側の係合受部の位置を上下でずらした構成で、上光遮蔽板、下光遮蔽板の折り畳み時の相互衝突が回避され、光遮蔽板の折り畳みを円滑かつ簡便に行うことが可能であり、画像映写枠部の閉じ込み時の操作性が良好なカメラ用防水ハウジングを提供することができる。
【００１０】
請求項３記載の発明によれば、鏡を備えた画像映写枠部に入射する光を遮る上光遮蔽板と下光遮蔽板とを略三角形状とするとともに、前記上光遮蔽板を下光遮蔽板より広面積とし、上光遮蔽板、下光遮蔽板の他辺側の係合部の位置及び前記枠体における上側、下側の係合受部の位置を、前記画像映写枠部の軸支位置からの距離が上側で遠く、下側で近くなるように上下でずらした構成で、請求項２記載の発明の場合と同様、上光遮蔽板、下光遮蔽板の折り畳み時の相互衝突が回避され、光遮蔽板の折り畳みを円滑かつ簡便に行うことが可能であり、画像映写枠部の閉じ込み時の操作性が良好なカメラ用防水ハウジングを提供することができる。
【発明を実施するための最良の形態】
【００１１】
本発明は、ビデオカメラ等の画像表示部の画像を映す鏡を備えた開閉可能な画像映写枠部を有する防水ハウジングにおいて、画像映写枠部の閉じ込み時における光遮蔽板の折り畳みを円滑かつ簡便に行うことが可能なカメラ用防水ハウジングを提供するという目的を、内部に画像表示部付きのカメラを収納する防水型のハウジング本体と、ハウジング本体に一体に装着されるとともに前記画像表示部に対応する配置の透明部を有する枠体と、この枠体により回動可能に軸支され、前記透明部を透過する前記画像表示部の画像を映す鏡を備えた画像映写枠部と、画像映写枠部における前記鏡の上側及び下側に一辺側が折り畳み可能に取り付けられるとともに、前記枠体の透明部の上側及び下側に設けた係合受部に他辺側に設けた係合部が係止されて外光の入射を遮光する上光遮蔽板及び下光遮蔽板と、を有し、前記上光遮蔽板を下光遮蔽板より広面積にするとともに、上光遮蔽板、下光遮蔽板の他辺側の係合部の位置及び前記枠体における上側、下側の係合受部の位置を上下でずらした構成により実現した。
【実施例】
【００１２】
以下に、本発明の実施例に係るカメラ用防水ハウジングについて、図面を参照して詳細に説明する。
【００１３】
本実施例に係るカメラ用防水ハウジング１は、図１、図４に示すように、内部にカメラの一種である小形の画像表示部３付きのビデオカメラ２を収納する全体として略四角筒状に形成した合成樹脂材を主要素とする防水型のハウジング本体４と、ハウジング本体４の一方の側面において、ハウジング本体４に一体に装着されるとともに前記画像表示部３に対応する配置のアクリル板等からなる透明部６を有する四角形状の枠体５と、この枠体５における前面側（ハウジング本体４の一部を形成する対物レンズ包囲筒部５ａ側）において図１において上下方向に配置した軸支部７により前記枠体５に対して最小で０度（閉じ込み状態）、最大で４５度となる範囲にわたって回動可能（開閉可能）に軸支されるととともに、前記透明部６を透過する前記画像表示部３の画像を映す鏡９を内面に備えた四角枠形状の画像映写枠部８と、この画像映写枠部８に上下配置に取り付けた各々略三角形状で上下非対称の上光遮蔽板２１及び下光遮蔽板３１と、を有している。
【００１４】
前記ハウジング本体４は、図２、図３にも示すように、このハウジング本体４の後面側に蓋軸支部１０を備え、この蓋軸支部１０により前記ハウジング本体４の後面を閉塞する合成樹脂材を主要素とする防水型の後蓋１１を開閉可能に支持している。
【００１５】
また、後蓋１１を開いた状態で図２に示すように、取り付けネジ１３を有する取り付けプレート１２により支持されたビデオカメラ２をハウジング本体４内に挿入して図３に示すように固定配置し、しかる後前記後蓋１１を閉じることで、ハウジング本体４内において前記ビデオカメラ２を密封状態に固定支持するように構成している。
【００１６】
次に、前記枠体５、上光遮蔽板２１及び下光遮蔽板３１について、図５、図７、図９をも参照して詳細に説明する。
【００１７】
前記枠体５における透明部６の上側及び下側には、前後方向に沿って上サイドフレーム１４、下サイドフレーム１５を添設し、前記上サイドフレーム１４に上側の係合受部１６を、前記下サイドフレーム１５には下側の係合受部１８を各々設けている。
前記上側の係合受部１６、下側の係合受部１８は、前記画像映写枠部８の軸支位置である軸支部７からの前後方向の距離が上側で遠く、下側で近くなるように上下でずらした配置としている。
【００１８】
また、上側の係合受部１６は、四角形状の位置決め突片１７ａにより形成している。同様に下側の係合受部１８は、四角形状の位置決め突片１９ａ及びこの位置決め突片１９ａの両側近傍に位置する一対の鈎状の側片１９ｂにより形成している。
【００１９】
一方、前記上光遮蔽板２１は、耐水性を有する合成樹脂板等により略三角形状に形成され、その一辺２１ａを前記画像映写枠部８の鏡９の上側に前後方向に沿って、かつ、図７に示す矢印方向に折り畳み（折り曲げ）可能に取り付けている。また、前記一辺２１ａに隣り合う他辺２１ｂを前記上サイドフレーム１４側に臨ませ、残りの第３辺２１ｃを図示しないがカメラ用防水ハウジング１を操作する撮影者側に臨ませている。
【００２０】
前記下光遮蔽板３１は、耐水性を有する合成樹脂板等により略三角形状に形成され、
その一辺３１ａを前記画像映写枠部８の鏡９の下側に前後方向に沿って、かつ、図７に示す矢印方向に折り畳み（折り曲げ）可能に取り付けている。また、前記一辺３１ａに隣り合う他辺３１ｂを前記下サイドフレーム１５側に臨ませ、残りの第３辺３１ｃを図示しないがカメラ用防水ハウジング１を操作する撮影者側に臨ませている。
【００２１】
前記カメラ用防水ハウジング１を使用する撮影時において、通常、前記上光遮蔽板２１側から鏡９側に向けて入射する外光が、下光遮蔽板３１側から鏡９側に向けて入射する外光よりも多いことを考慮し、前記上光遮蔽板２１の面積を前記下光遮蔽板３１の面積より大きく（上下非対称に）している。
【００２２】
前記上光遮蔽板２１の他辺２１ｂには、前記上側の係合受部１６に対応する配置で前記位置決め突片１７ａに嵌合し位置決めするための四角穴２３を有する係合部２２を設けている。
【００２３】
同様に、前記下光遮蔽板３１の他辺３１ｂには、前記下側の係合受部１８に対応する配置で前記位置決め突片１９ａに嵌合し位置決めするための四角穴３３を有する係合部３２を設けている。
【００２４】
次に、本実施例に係るカメラ用防水ハウジング１の作用を前記画像映写枠部８の閉じ込み及び前記上光遮蔽板２１、下光遮蔽板３１の折り畳み形態を主にし、かつ、図１、図５乃至図１８を参照して詳細に説明する。
【００２５】
本実施例に係るカメラ用防水ハウジング１において、図１、図５及び図６に示すように、前記画像映写枠部８を枠体５から４５度開いた状態では、ビデオカメラ２の画像表示部３に表示される画像（予め左右反転させた画像）は、前記透明部６を経て画像映写枠部８の鏡９に映写され左右正常な画像としてカメラ用防水ハウジング１を操作する撮影者の眼により視認される。
【００２６】
次に、撮影終了又は次の撮影のために、前記画像映写枠部８を枠体５側に閉じ込み場合には、まず、図７、図８に示すように、前記上光遮蔽板２１、下光遮蔽板３１の係合部２２、係合部３２を枠体５の係合受部１６、係合受部１８から各々外し、上光遮蔽板２１を下方に、下光遮蔽板３１を上方に回動させるとともに、前記画像映写枠部８を枠体５側に閉じ始める。図７、図８は、前記画像映写枠部８を枠体５側に開き角度が４０度となる状態に閉じた状態を示すものである。
【００２７】
次に、図９、図１０に示すように、上光遮蔽板２１を下方に、下光遮蔽板３１を上方にさらに回動させるとともに、前記画像映写枠部８を枠体５側にさらに閉じる。図９、図１０は、前記画像映写枠部８を枠体５側に開き角度が３０度となる状態に閉じた状態を示すものである。
【００２８】
次に、図１１、図１２に示すように、上光遮蔽板２１を下方に、下光遮蔽板３１を上方にさらに回動させるとともに、前記画像映写枠部８を枠体５側にさらに閉じる。
【００２９】
このとき、上光遮蔽板２１と、下光遮蔽板３１とは既述したように非対称形状であることから、上光遮蔽板２１の係合部２２を設けた部分と、下光遮蔽板３１の第３辺３１ｃの隅部分とが近接するが、前記第３辺３１ｃの隅部分が前記係合部２２を設けた部分の鏡９側に入り込み、これにより、上光遮蔽板２１と下光遮蔽板３１との衝突が回避される。図１１、図１２は、前記画像映写枠部８を枠体５側に開き角度が２５度となる状態に閉じた状態を示すものである。
【００３０】
次に、図１３、図１４に示すように、前記画像映写枠部８を枠体５側にさらに閉じると、上光遮蔽板２１の係合部２２を設けた部分が前記透明部６に当たり、この結果、上光遮蔽板２１が前記透明部６側、下光遮蔽板３１が鏡９側となる配置で、これら上光遮蔽板２１と下光遮蔽板３１とは重なり合いつつ折り畳まれていく。
【００３１】
図１３、図１４は、前記画像映写枠部８を枠体５側に開き角度が２０度となる状態に閉じた状態を示すものである。
【００３２】
さらに前記画像映写枠部８を枠体５側に閉じると、この画像映写枠部８は図１５、図１６に示す開き角度が５度となる状態を経て、図１７、図１８に示すように、画像映写枠部８は、枠体５に完全に閉じ込まれる。
【００３３】
このようにして、本実施例に係るカメラ用防水ハウジング１によれば、前記上光遮蔽板２１、下光遮蔽板３１の折り畳み時の相互衝突が回避され、上光遮蔽板２１、下光遮蔽板３１の折り畳みを円滑かつ簡便に行うことが可能であり、画像映写枠部８の閉じ込み時の操作性が良好なカメラ用防水ハウジング１を実現することができる。
【００３４】
また、上光遮蔽板２１を下光遮蔽板３１よりも広面積としているので、実際の使用時において画像映写枠部８に入射する外光にも配慮したカメラ用防水ハウジング１を実現することができる。
【産業上の利用可能性】
【００３５】
本発明は、各々折り畳み可能に支持された二つの部材を相互衝突を回避しつつコンパクトに重合状態で折り畳むような技術分野に広範に適用可能である。
【図面の簡単な説明】
【００３６】
【図１】本発明の実施例に係るカメラ用防水ハウジングの画像映写枠部を開いた状態の斜め後方から見た斜視図である。
【図２】本実施例に係るカメラ用防水ハウジングにビデオカメラを挿入する状態を示す斜視図である。
【図３】本実施例に係るカメラ用防水ハウジングにビデオカメラを挿入した状態を示す斜視図である。
【図４】本実施例に係るカメラ用防水ハウジングを後方から見た状態の背面図である。
【図５】本実施例に係るカメラ用防水ハウジングの画像映写枠部をハウジング本体に対して４５度開いた状態を示す部分斜視図である。
【図６】本実施例に係るカメラ用防水ハウジングの画像映写枠部をハウジング本体に対して４５度開いた状態をハウジング本体の内側から見た部分平面図である。
【図７】本実施例に係るカメラ用防水ハウジングの画像映写枠部をハウジング本体に対して４０度とした状態を示す部分斜視図である。
【図８】本実施例に係るカメラ用防水ハウジングの画像映写枠部をハウジング本体に対して４０度とした状態をハウジング本体の内側から見た部分平面図である。
【図９】本実施例に係るカメラ用防水ハウジングの画像映写枠部をハウジング本体に対して３０度とした状態を示す部分斜視図である。
【図１０】本実施例に係るカメラ用防水ハウジングの画像映写枠部をハウジング本体に対して３０度とした状態をハウジング本体の内側から見た部分平面図である。
【図１１】本実施例に係るカメラ用防水ハウジングの画像映写枠部をハウジング本体に対して２５度とした状態を示す部分斜視図である。
【図１２】本実施例に係るカメラ用防水ハウジングの画像映写枠部をハウジング本体に対して２５度とした状態をハウジング本体の内側から見た部分平面図である。
【図１３】本実施例に係るカメラ用防水ハウジングの画像映写枠部をハウジング本体に対して２０度開いた状態を示す部分斜視図である。
【図１４】本実施例に係るカメラ用防水ハウジングの画像映写枠部をハウジング本体に対して２０度とした状態をハウジング本体の内側から見た部分平面図である。
【図１５】本実施例に係るカメラ用防水ハウジングの画像映写枠部をハウジング本体に対して５度とした状態を示す部分斜視図である。
【図１６】本実施例に係るカメラ用防水ハウジングの画像映写枠部をハウジング本体に対して５度とした状態をハウジング本体の内側から見た部分平面図である。
【図１７】本実施例に係るカメラ用防水ハウジングの画像映写枠部をハウジング本体に対して閉じ込んだ状態を示す部分斜視図である。
【図１８】本実施例に係るカメラ用防水ハウジングの画像映写枠部をハウジング本体に対して閉じ込んだ状態をハウジング本体の内側から見た部分平面図である。
【符号の説明】
【００３７】
１    カメラ用防水ハウジング
２    ビデオカメラ
３    画像表示部
４    ハウジング本体
５    枠体
５ａ  対物レンズ包囲筒部
６    透明部
７    軸支部
８    画像映写枠部
９    鏡
１０    蓋軸支部
１１    後蓋
１２    取り付けプレート
１３    取り付けネジ
１４    上サイドフレーム
１５    下サイドフレーム
１６    係合受部
１７ａ  位置決め突片
１８    係合受部
１９ａ  位置決め突片
１９ｂ  側片
２１    上光遮蔽板
２１ａ  一辺
２１ｂ  他辺
２１ｃ  第３辺
２２    係合部
２３    四角穴
３１    下光遮蔽板
３１ａ  一辺
３１ｂ  他辺
３１ｃ  第３辺
３２    係合部
３３    四角穴
【図１】
2008292716.tif 000003
【図２】
2008292716.tif 000004
【図３】
2008292716.tif 000005
【図４】
2008292716.tif 000006
【図５】
2008292716.tif 000007
【図６】
2008292716.tif 000008
【図７】
2008292716.tif 000009
【図８】
2008292716.tif 000010
【図９】
2008292716.tif 000011
【図１０】
2008292716.tif 000012
【図１１】
2008292716.tif 000013
【図１２】
2008292716.tif 000014
【図１３】
2008292716.tif 000015
【図１４】
2008292716.tif 000016
【図１５】
2008292716.tif 000017
【図１６】
2008292716.tif 000018
【図１７】
2008292716.tif 000019
【図１８】
2008292716.tif 000020